(57)【要約】【課題】開閉ユニットのハウジングの組立性を良好にして開閉ユニットの生産性を向上させるとともに、防爆性能を向上させることができる開閉ユニットを提供する。【解決手段】開閉ユニット７０は、可動端子板と、可動端子板の可動端子部と接続可能な固定端子部をそれぞれ有する固定端子板８６，８８と、開路信号を受けて、可動端子部と固定端子部とを離間させて接続を解除する接続解除機構と、可動端子板、固定端子板、および、接続解除機構を収納するハウジング７２を備える。ハウジング７２は、一対のハウジング部材７２ｄ，７２ｅが一体に接合されて構成され、一方のハウジング部材７２ｅに形成された係合部１６０が他方のハウジング部材７２ｄに係合することで一体に接合されている。開閉ユニット７０は、さらに、可動端子板等を収納したハウジング７２を収納する筐体部１６，１７を備える。【選択図】図１３
2020053246.tif 000002
【特許請求の範囲】
【請求項１】
操作レバーの回動操作によって開閉する第１端子板と、
前記第１端子板の第１端子部と接続可能な第２端子部を有する第２端子板と、
開路信号を受けて、前記第１端子部と前記第２端子部とを離間させて接続を解除する接続解除機構と、
前記第１端子部、前記第２端子部、および、前記接続解除機構を収納するハウジングであって、一対のハウジング部材が一体に接合されて構成され、前記一対のハウジング部材は少なくとも何れか一方のハウジング部材に形成された係合部が他方のハウジング部材に係合することで一体に接合されている、ハウジングと、
前記第１端子板、前記第２端子板および前記接続解除機構を収納した前記ハウジングを収納する筐体部と、を備える、開閉ユニット。
【請求項２】
前記ハウジングは前記一対のハウジング部材を一体に接合するリベットをさらに備える、請求項１に記載の開閉ユニット。
【請求項３】
請求項１又は２に記載の開閉ユニットと、
差込プラグの栓刃が挿入される刃受け部を有し、前記刃受け部が前記開閉ユニットに接続されるコンセント部と、
を備える、開閉機能付きコンセント。
【請求項４】
操作レバーの回動操作によって開閉する第１端子板と、
前記第１端子板の第１端子部と接続可能な第２端子部を有する第２端子板と、
開路信号を受けて、前記第１端子部と前記第２端子部とを離間させて前記第１端子部と前記第２端子部との接続を解除する接続解除機構と、
前記第１端子部、前記第２端子部、および、前記接続解除機構を収納するハウジングと、
前記ハウジングを収納する筐体部と、を備える開閉ユニットの生産方法であって、
前記ハウジング部材を構成する一対のハウジング部材内に前記第１端子板、前記第２端子板および前記接続解除機構を収納し、
前記一対のハウジング部材の少なくとも何れか一方のハウジング部材に形成された係合部を他方のハウジング部材に係合させることで一体に接合し、
前記第１端子板、前記第２端子板および前記接続解除機構を収納した前記ハウジングを筐体部に収納する、開閉ユニットの生産方法。
【請求項５】
前記一対のハウジング部材をリベットによって一体に接合することをさらに含む、請求項４に記載の開閉ユニットの生産方法。
【請求項６】
請求項１又は２に記載の開閉ユニットと、差込プラグの栓刃が挿入される刃受け部を有し、前記刃受け部が前記開閉ユニットに接続されるコンセント部とを備える開閉機能付きコンセントの生産方法であって、
前記開閉ユニットと前記コンセント部を接続し、
前記開閉ユニットおよび前記コンセント部の少なくとも一方を筐体部に収納する、
開閉機能付きコンセントの生産方法。
【発明の詳細な説明】
【技術分野】
【０００１】
本開示は、開閉ユニット、開閉機能付きコンセント、および、それらの生産方法に関する。
【背景技術】
【０００２】
従来、特許文献１には、電源側端子と負荷側端子との間に接点部と電磁釈放装置のコイルとを挿入した主電路とが形成された回路遮断器が開示されている。この回路遮断器では、接点部の閉極時に主電路に過大な電流が通過すると、コイルに生じる磁力でコイル内に設けた可動鉄心を移動させ、可動鉄心の移動を利用して接点部を強制的に開極させることが記載されている。また、この回路遮断器では、上記接点部および上記電磁釈放装置は器体内に収納されており、器体はボディとカバーとがリベットで一体に結合されることが記載されている。
【先行技術文献】
【特許文献】
【０００３】
【特許文献１】特開平７−２２６１４３号公報
【発明の概要】
【発明が解決しようとする課題】
【０００４】
特許文献１に記載されるように、回路遮断器の器体を構成するボディとカバーとをリベットで一体に結合すれば強固な結合力を得ることができるが、リベットの装着に手間が掛かって生産工程が煩雑になるという不具合がある。
【０００５】
本開示の目的は、開閉ユニットのハウジングの組立性を良好にして開閉ユニットの生産性を向上させることにある。
【課題を解決するための手段】
【０００６】
本開示の一態様である開閉ユニットは、操作レバーの回動操作によって開閉する第１端子板と、第１端子板の第１端子部と接続可能な第２端子部を有する第２端子板と、開路信号を受けて、第１端子部と第２端子部とを離間させて接続を解除する接続解除機構と、第１端子部、第２端子部、および、接続解除機構を収納するハウジングであって、一対のハウジング部材が一体に接合されて構成され、一対のハウジング部材は少なくとも何れか一方のハウジング部材に形成された係合部が他方のハウジング部材に係合することで一体に接合されている、ハウジングと、第１端子板、第２端子板および接続解除機構を収納したハウジングを収納する筐体部と、を備える。
【発明の効果】
【０００７】
本開示に係る開閉ユニット等によれば、開閉ユニットのハウジングの組立性を良好にして開閉ユニットの生産性を向上させることができる。
【図面の簡単な説明】
【０００８】
【図１】取付枠に取り付けられたスイッチ付きコンセント（以下、適宜にコンセントとだけいう。）を示す斜視図である。
【図２】図１に示したコンセントの分解斜視図である。
【図３】カバーを取り外した状態で示すコンセントの正面図である。
【図４】図３に示すコンセントにおいて、ケース及び端子ボックスを取り外した状態で示す分解斜視図である。
【図５】図４に示すコンセントにおいて、ケース及び端子ボックスとボディ部材とを取り除いた状態を示す斜視図である。
【図６】閉路状態にある開閉ユニットの側面図である。
【図７】開路状態にある開閉ユニットの側面図である。
【図８】図４に示すコンセントにおいて、矢印Ａ方向（端子部側）から見た斜視図である。
【図９】コンセントの温度センサ取付構造を示す分解斜視図である。
【図１０】図９の温度センサ取付構造の組立斜視図である。
【図１１】温度センサ取付構造を示す一部断面を含む平面図である。
【図１２】端子部の一部を拡大して示す斜視図である。
【図１３】係合部によって一体に接合された内側ハウジング部材および外側ハウジング部材を備えた開閉ユニットの斜視図である。
【図１４】係合部に加えてリベットによって一体に接合された内側ハウジング部材および外側ハウジング部材を備えた開閉ユニットの斜視図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、取付枠１に取り付けられた配線器具であるスイッチ付きコンセント１０を示す斜視図である。図２は、図１に示したコンセント１０の分解斜視図である。図１及び図２（他図でも同様）において、矢印Ｘは幅方向（または左右方向）を示し、矢印Ｙは前後方向（または奥行き方向）を示し、矢印Ｚは上下方向（または高さ方向）を示している。これらの３方向は互いに直交する。なお、これらの方向は例示であって、本開示に係るコンセントの構成を実質的に規定するものではない。
【００１１】
図１及び図２に示すように、コンセント１０は、取付枠１に取り付けられて壁（図示せず）等の造営物に設置される。取付枠１は、上側板部２と、下側板部３と、幅方向Ｘの両側において上下方向Ｚに延在して上側板部２および下側板部３に連結される一対の桟部４，４とを有する。これにより、取付枠１には、上側板部２及び下側板部３と一対の桟部４，４とで囲まれた領域に、正面視で縦長の長方形状をなす開口部５が形成されている。
【００１２】
取付枠１は、金属板を打ち抜き加工及び曲げ加工して形成される。一対の桟部４，４は、断面Ｌ字状に曲げ加工されており、前後方向Ｙに沿った側面には複数の係合孔６が上下方向Ｚに間隔をあけて形成されている。これらの係合孔６によってコンセント１０が取付枠１に取り付けられる。
【００１３】
図１及び図２に示すように、コンセント１０は、前方から見た正面視で縦長の長形状をなす直方体に形成されている。コンセント１０の大きさは、ＪＩＳ規格に規定される寸法に形成されている。
【００１４】
コンセント１０は、ケース１６と、主カバー部材１７と、コンセント本体カバー１２とを備える。主カバー部材１７及びコンセント本体カバー１２は、ケース１６の前面開口を覆って設けられる。また、コンセント１０は、コンセント外側カバー１４をさらに備える。主カバー部材１７、コンセント本体カバー１２及びコンセント外側カバー１４は、いずれも樹脂成型品によって好適に構成される。
【００１５】
主カバー部材１７は、前壁１７ａと、側壁１７ｂとを有する。前壁１７ａは、幅方向Ｘの一方側において上下方向Ｚに延在している。側壁１７ｂは、主カバー部材１７において四方周囲を取り囲むように形成されている。また、主カバー部材１７の前面には、前壁１７ａと側壁１７ｂとの間に開口部１９が形成されている。開口部１９は、正面視で縦長の長方形状に形成されている。開口部１９は、コンセント本体カバー１２の上部カバー１２ａが嵌り込んで取り付けられるために形成されている。本実施形態においてコンセント本体カバー１２の上部カバー１２ａは、主カバー部材１７に取り付けられる副カバー部材に相当する。
【００１６】
主カバー部材１７の前壁１７ａには、正面視で縦長の長方形状をなす開口部１７ｃが形成されている。この開口部１７ｃは、後述する開閉ユニット７０の操作レバー７１を露出させるために形成されている。また、前壁１７ａには、開口部１７ｃの上方位置に操作片１７ｄが片持ち形状で形成されている。この操作片１７ｄを介して後述するスイッチ盤に実装された押しスイッチを押下操作することが可能になっている。
【００１７】
また、主カバー部材１７の前面において、開口部１９の下方には端子カバー部１７ｅが設けられている。この端子カバー部１７ｅは、ケース１６に組み付けられたとき、ケース１６内に収納された端子部１００を覆って設けられるが、端子カバー部１７ｅに形成されている貫通孔を介して端子部１００の接地用端子１０２およびねじ１０５等が露出するように構成されている。
【００１８】
さらに、主カバー部材１７の側壁１７ｂには、係止片２１が幅方向の両側縁部に２つずつ、合計４つ形成されている。各係止片２１は、側壁１７ｂの端縁部から後方に突出して形成されている。また、各係止片２１には、矩形状の係止孔がそれぞれ形成されている。これらの係止片２１は、主カバー部材１７がケース１６に組み付けられたとき、ケース１６の側面に突設されている係合部２２が係止孔に係合することによって、主カバー部材１７がケース１６に対して係止された状態で組み付けられる。
【００１９】
さらにまた、主カバー部材１７には、前壁１７ａの開口部１９側の縁部に係止部２３が後方に突出した形状に形成されている。この係止部２３は、開口部１９内にコンセント本体カバー１２の上部カバー１２ａが嵌め込まれて組み付けられたときに、上部カバー１２ａに係合して組付け状態を保持する機能を有する。
【００２０】
コンセント本体カバー１２は、コンセント１０の前面を覆って配置されている。コンセント本体カバー１２は、上部カバー１２ａ及び下部カバー１２ｂを含む。上部カバー１２ａは、ケース１６内に収納されたコンセント部４０の前方を覆って設けられる。ケース１６およびコンセント部４０の詳細については後述する。
【００２１】
上部カバー１２ａには、栓刃挿入部１８ａ，１８ｂが上下２段に配置されている。上段の栓刃挿入部１８ａには、差込プラグ（図示せず）の２つの板状栓刃が挿入される栓刃挿入口２０ａ，２０ｂが左右方向に並んで形成されている。また、下段の栓刃挿入部１８ｂには、差込プラグの２つの栓刃が挿入される栓刃挿入口２０ａ，２０ｂが左右方向に並んで形成されるとともに、栓刃挿入口２０ａ，２０ｂの間の下方位置に接地用の棒状端子が挿入される接地端子挿入口２０ｃが形成されている。本実施形態では、一方の栓刃挿入口２０ａの開口縁部が正面視で略Ｄ字型の枠状に形成され、他方の栓刃挿入口２０ｂの開口縁部が矩形枠状に形成されている例が示される。ただし、これに限定されるものではなく、各栓刃挿入口２０ａ，２０ｂの開口縁部は同じ形状に形成されてもよい。
【００２２】
コンセント本体カバー１２の一部を構成する下部カバー１２ｂは、ケース１６内に収納された端子部１００の接地用端子１０２を覆って設けられる。下部カバー１２ｂの表面には「アース」及び「あける」の文字、接地を表すマークなどが付されている。下部カバー１２ｂは、上部カバー１２ａに対して着脱可能に取り付けられている。詳しくは、下部カバー１２ｂに一体形成されている２つの取付ピン１３を上部カバー１２ａに形成された取付穴１５に挿入することによって取り付けられる。下部カバー１２ｂをコンセント１０から取り外すことで端子部１００の接地用端子１０２が露出する。これにより、コンセント１０は、接地用外部電線を接続可能な状態になる。
【００２３】
コンセント外側カバー１４は、前方から見た正面視でコ字状をなす形状に形成され、コンセント本体カバー１２の上方、左側及び下方の三方外側に隣接して配置される。コンセント外側カバー１４は、後述する開閉ユニット７０の前面を覆って設けられる。コンセント外側カバー１４には、縦長の長方形状をなす開口部１４ａと、この開口部１４ａの上方に位置する円形の貫通孔１４ｂとが形成されている。開口部１４ａには、開閉ユニット７０の操作レバー７１が露出した状態で配置されている。また、貫通孔１４ｂの内側（すなわち後方）には、後述する回路基板に実装された押しスイッチが配置される。これにより、例えば細い棒状の工具やペンの先端などを貫通孔１４ｂに挿入することで押しスイッチを押下することができ、開閉ユニットの動作テストや、ブザー停止操作を行うことができる。また、押しスイッチは発光部を備えており、貫通孔１４ｂはこの発光部の点灯状態を外部から確認するための透光窓としても機能する。
【００２４】
コンセント外側カバー１４において貫通孔の１４ｂの上方には、「電源」及び「異常」の表示が付されている。表示「電源」の上の領域はコンセント１０の電源供給時に例えば緑色に点灯する電源灯孔１４ｃになっており、表示「異常」の上の領域はコンセント１０の異常発熱時に例えば赤色に点灯又は点滅する異常灯孔１４ｄになっている。なお、電源灯孔１４ｃ及び異常灯孔１４ｄは、コンセント外側カバー１４の壁面を薄肉に形成することで光が透過する透光部となっていてもよい。
【００２５】
図３は、カバーを取り外した状態で示すコンセント１０の正面図である。図４は、図３に示すコンセント１０において、ケース１６及び端子ボックス１０１を取り外した状態で示す分解斜視図である。
【００２６】
コンセント１０は、ケース１６を備える。ケース１６は、例えば、樹脂成型品によって構成される。ケース１６は、図３及び図４に示すように、直方体状の外形をなし、後部に底面を有するとともに前方に開口した形状を有する。
【００２７】
図３及び図４に示すように、ケース１６の長辺方向に沿った外面には、係合部２２が突出して形成されている。係合部２２は、各側面に間隔をあけて２つずつ設けられている。これらの係合部２２に主カバー部材１７の係止片２１が係合することによって、主カバー部材１７がケース１６に取り付けられる。
【００２８】
図４に示すように、ケース１６の底面２４には、複数の柱部２６が立設されている。これらの柱部２６は、ケース１６内に開閉ユニット７０が収納されたとき開閉ユニット７０の側壁面に突設された挟持部に各先端面が当接して開閉ユニット７０を支持する機能を有する。また、ケース１６の底面２４には、複数の支持突起部（図４では１つだけ図示）２９が突出して形成されている。これらの支持突起部２９の先端面によって、ケース１６内に収納された回路基板１２０が支持される。
【００２９】
図５は、図４に示すコンセントにおいて、ケース及び端子ボックスとボディ部材とを取り除いた状態を示す斜視図である。図３ないし図５に示すように、コンセント１０は、コンセント部４０、開閉ユニット７０、及び、回路基板１２０を備える。また、コンセント１０は、接地用端子１０２を備えてもよい。なお、コンセント部４０が本開示における刃受け部を有する機能ユニットに相当し、開閉ユニット７０が本開示における開閉部を有する機能ユニットに相当する。
【００３０】
コンセント部４０は、２つの刃受ばねブロック４２ａ，４２ｂと、これらの刃受ばねブロック４２ａ，４２ｂを支持するボディ部材４４とを含む。ボディ部材４４は、絶縁性の樹脂成型品によって好適に構成される。
【００３１】
一方の刃受ばねブロック４２ａは、コンセント１０の端子部１００に接続される電圧相（以下、Ｌ相という。）の外部電源線と電気的に接続される端子部材である。他方の刃受ばねブロック４２ｂは、コンセント１０の端子部１００に接続される中性相（以下、Ｎ相という。）の外部電源線と電気的に接続される端子部材である。刃受ばねブロック４２ａ，４２ｂは、例えば、銅板等の金属板を打ち抜き及び折り曲げ等の加工を施すことによって製造される。上記Ｌ相電源線およびＮ相電源線を介して刃受ばねブロック４２ａ，４２ｂに商用電源からの電力が供給される。
【００３２】
各刃受ばねブロック４２ａ，４２ｂは、同一形状のものを用いることができる。したがって、以下では一方の刃受ばねブロック４２ａの構成について主として説明し、他方の刃受ばねブロック４２ｂについては援用によって説明を適宜に省略する。
【００３３】
刃受ばねブロック４２ａは、二対の刃受ばね４８と、各刃受ばね４８を機械的に連結するとともに電気的に接続する連結部５０と、連結部５０の縁部から前後方向に沿って折り曲げ形成された接続端子部５２とを一体に有する。
【００３４】
Ｌ相用の刃受ばねブロック４２ａにおいて一対の刃受ばね４８は、上部カバー１２ａの上段の右側に形成された栓刃挿入口２０ａの内側に配置される。もう一対の刃受ばね４８は、上部カバー１２ａの下段の右側に形成された栓刃挿入口２０ａの内側に配置される（図１参照）。
【００３５】
Ｎ相用の刃受ばねブロック４２ｂにおいて一対の刃受ばね４８は、上部カバー１２ａの上段の左側に形成された栓刃挿入口２０ｂの内側に配置される。もう一対の刃受ばね４８は、上部カバー１２ａの下段の左側に形成された栓刃挿入口２０ｂの内側に配置される（図１参照）。
【００３６】
図５に示すように、Ｌ相用の刃受ばねブロック４２ａの接続端子部５２には、Ｌ相導線５４ａの一端がはんだ付け等によって接続されている。また、Ｎ相用の刃受ばねブロック４２ｂの接続端子部５２には、Ｎ相導線５４ｂの一端がはんだ付け等によって接続されている。Ｌ相導線５４ａおよびＮ相導線５４ｂは、例えば、絶縁被覆された編組銅線によって好適に構成される。Ｌ相導線５４ａおよびＮ相導線５４ｂの各他端は、開閉ユニット７０にそれぞれ接続されている。なお、Ｌ相導線５４ａおよびＮ相導線５４ｂが本開示における一対の被覆導線に相当する。
【００３７】
また、刃受ばねブロック４２ａ，４２ｂの接続端子部５２には温度センサ５４がクリップ５６によってそれぞれ取り付けられている。温度センサ５４の取付構造については後に詳述する。温度センサ５４は、刃受ばねブロック４２ａ，４２ｂの温度をそれぞれ計測して、その計測結果を信号線６０ａ，６０ｂを介して回路基板１２０に送信する。
【００３８】
回路基板１２０は、図示しないパターン配線が形成されたプリント基板である。回路基板１２０には、例えばマイコン等によって構成される制御部１２２が実装されている。制御部１２２は、温度センサ５４から送信される計測結果に基づいて、刃受ばねブロック４２ａ，４２ｂの温度が所定閾値を超えていないか否かを判定する。そして、制御部１２２は、刃受ばねブロック４２ａ，４２ｂの少なくとも一方の温度が所定閾値温度を超えたとき、コンセント１０が過熱状態であると判定し、開閉ユニット７０に信号線６０ｃを介して作動信号を送信する。
【００３９】
ここで、所定閾値温度は、例えば、１００℃〜１５０℃に設定することができる。所定閾値温度は、コンセント１０のカバー１２やボディ部材４４を構成する樹脂材料の耐熱温度等に応じて設定され得るものである。コンセント本体カバー１２等のカバー部材やボディ部材４４などを構成する樹脂材料として、例えば、メラミン樹脂、ユリア樹脂、ポリブチレンテレフタレート（ＰＢＴ）などが好適に用いられる。上記の所定閾値温度は、コンセント１０が使用される環境温度（または周囲温度）に応じて変更されてもよい。
【００４０】
また、回路基板１２０には、ブザー装置が実装されるのが好ましい。制御部１２２は、刃受ばねブロック４２ａ，４２ｂの少なくとも一方の温度が所定閾値温度を超えて過熱状態にあると判定されたとき、押しスイッチ１３２の発光部を点滅状態とするとともにブザー装置を鳴動させて、報知動作を行ってもよい。
【００４１】
なお、本実施形態では回路基板１２０は、コンセント１０の過熱状態を異常として検知する機能を備える例について説明するが、これに限定されるものでない。コンセントは、所定震度以上の地震を異常として検知したとき電力供給を遮断する感震検知機能を備えるものであってもよい。この場合、震度は回路基板上またはコンセント内部の他の部分に設置された例えば、ジャイロセンサ等の加速度を検知可能な感震センサによって構成されてもよい。感震センサは、回路基板上のパターン配線又は、信号線を介して、回路基板上の制御部に接続される。制御部は、感震センサからの入力に基づいて所定震度以上の地震であると判定されたとき、開閉ユニット７０に対して作動信号を出力する。また、本開示に係るコンセントは、このような感震検知機能と上述した過熱検知機能とを合わせて備えてもよいし、感震検知機能単独で備えてもよい。さらに、本開示に係るコンセントは、異常として漏電を検知したときに電流を遮断する漏電検知機能を上述した過熱や感震と組み合わせて或いは単独で備えてもよい。漏電を検知するためにコンセント内に電流センサを設け、刃受ばねブロックを流れる電流（物理量）が所定閾値電流値を超えたときに開閉ユニットを作動させる構成とすればよい。
【００４２】
図５に示すように、コンセント１０は、スイッチ盤１３０を備える。スイッチ盤１３０には、押しスイッチ１３２が実装されている。押しスイッチ１３２は、コンセント外側カバー１４の貫通孔１４ｂの内側に配置されている（図１および図２参照）。これにより、貫通孔１４ｂを介してコンセント１０の外部から押しスイッチ１３２を押下操作することができる。スイッチ盤１３０は、回路基板１２０に信号線を介して接続されている。押しスイッチ１３２が短く押し操作されると、回路基板１２０から後述する開閉ユニット７０に作動信号が送信される。これにより、開閉ユニット７０が閉路状態から開路状態に切り替わり、押しスイッチ１３２は異常状態を示す点滅状態となる。このように押しスイッチ１３２を押下操作することで、コンセント１０が正常に作動するか否かをテストすることができる。また、押しスイッチ１３２を長押し操作することで、過熱状態を報知するブザー装置を停止させることもできる。
【００４３】
スイッチ盤１３０には、電源灯発光部１３４および異常灯発光部１３６が実装されている。電源灯発光部１３４は、コンセント外側カバー１４の電源灯孔１４ｃの内側に対向して配置され、異常灯発光部１３６は、コンセント外側カバー１４の異常灯孔１４ｄの内側に対向して配置される（図１参照）。電源灯発光部１３４は、例えば、緑色に発光する発光ダイオード（ＬＥＤ）によって好適に構成される。異常灯発光部１３６は、例えば、赤色に発光する発光ダイオード（ＬＥＤ）によって好適に構成される。電源灯発光部１３４は、コンセント１０が電源供給状態にあるとき点灯される。異常灯発光部１３６は、後述するようにコンセント１０において異常発熱が検知されたときに点灯されるか又は点滅する。これらの発光部１３４，１３６の点灯状態がコンセント１０の外部から視認可能になっていることで、発光部１３４，１３６は報知部の一部を構成する。
【００４４】
次に、図６及び図７を参照して開閉ユニット７０について説明する。図６は、閉路状態にある開閉ユニット７０の側面図である。図７は、開路状態にある開閉ユニット７０の側面図である。図６及び図７において、開閉ユニット７０は、幅方向外側を覆うハウジングの壁面を取り除いた状態で示されている。
【００４５】
図６に示すように、開閉ユニット７０は、ハウジング７２を有する。ハウジング７２の前面には、操作レバー７１が露出した状態で回動可能に設けられている。
【００４６】
開閉ユニット７０は、ハウジング７２内に、コイル７３、可動鉄片７４、トリガーレバー７５、支持レバー７６、作動板７７、押圧ばね７８、作動部材７９、圧接ばね８０，８５、Ｎ相可動端子板８１及びＮ相可動端子部８２、Ｌ相可動端子板８３及びＬ相可動端子部８４、Ｎ相固定端子板８６及びＮ相固定端子部８７、並びに、Ｌ相固定端子板８８及びＬ相固定端子部８９を備える。
【００４７】
コイル７３は、回路基板１２０からの作動信号を受けて電力供給される。これにより、コイル７３は磁力を発生する。可動鉄片７４は、ハウジング７２内においてコイル７３の後方（図６中では下方）に近接する位置で前後方向Ｙへ移動可能に設けられている。可動鉄片７４は、Ｌ相可動端子板８３の一端部に固定されている。なお、Ｌ相可動端子板８３の一端８３ａには、Ｌ相導線５４ａの他端がはんだ付け等によって電気的および機械的に接続されている。
【００４８】
トリガーレバー７５は、略Ｌ字状の形状をなし、ハウジング７２の幅方向側壁面に軸部７５ａを中心に回動可能に設けられている。トリガーレバー７５の一端部は、可動鉄片７４と係合可能な位置に配置されている。
【００４９】
支持レバー７６は、前後方向Ｙに延在する形状を有し、ハウジング７２の幅方向側壁面に軸部７６ａを中心に回動可能に設けられている。支持レバー７６の一端部は、トリガーレバー７５の他端部に係合可能な位置に配置されている。
【００５０】
作動板７７は、一端部が支持レバー７６の他端の上に当接して支持されている。作動板７７は、操作レバー７１に一端が連結されている略Ｕ字状の押圧ばね７８の他端が連結されており、この押圧ばね７８の押圧力によって一端部が支持レバー７６の他端上に圧接されている。
【００５１】
操作レバー７１の回動中心の周りには捻りばね９０が配置されている。後述するように開閉ユニット７０が作動して電力遮断状態になったとき、操作レバー７１は捻りばね９０の付勢力によって回動して、図７に示すようにコンセント１０の前面に突出した状態となる。
【００５２】
図６に示すように、作動部材７９は、支持レバー７６と作動板７７とに隣接して配置され、ハウジング７２の幅方向側壁に軸部７９ａを中心として回動可能に設けられている。作動部材７９の後端部（図６中の下端部）が圧接ばね８０によって付勢されている。これにより、作動部材７９は、圧接ばね８０によって、図６中の反時計回り方向に回動する方向に付勢されている。
【００５３】
作動部材７９は、前後方向Ｙの略中央部がＮ相可動端子板８１と係合可能に設けられている。Ｎ相可動端子板８１の一端には、Ｎ相導線５４ｂの他端がはんだ付け等によって電気的および機械的に接続されている。また、Ｎ相可動端子板８１の他端にはＮ相可動端子部８２が例えばカシメ等によって固定されている。
【００５４】
Ｎ相可動端子板８１は、作動部材７９によって、圧接ばね８５の付勢力に抗して時計回り方向に回動した位置に押さえられている。これにより、後述するように作動部材７９が圧接ばね８０の付勢力によって反時計回り方向に回動したとき、Ｎ相可動端子板８１は作動部材７９による押さえが解放されることで、圧接ばね８５の付勢力によって押し上げられるようになっている。
【００５５】
また、作動部材７９は、Ｌ相可動端子板８３の中間部分を押さえ付けている。Ｌ相可動端子板８３の他端部には、Ｌ相可動端子部８４が例えばカシメ等によって固定されている。後述するように作動部材７９が反時計回り方向に回動したとき、Ｌ相可動端子板８３が作動部材７９の後端部（図６中の下端部）によって押し上げられてＬ相可動端子部８４が前方（図６中の上方）に移動するようになっている。
【００５６】
Ｎ相可動端子部８２は、ハウジング７２内に配置されたＮ相固定端子部８７に当接して電気的に接続されている。Ｎ相固定端子部８７は、Ｎ相固定端子板８６の一端部に例えばカシメ等によって固定されている。Ｎ相固定端子板８６はハウジング７２の外部に延出している。
【００５７】
Ｌ相可動端子部８４は、ハウジング７２内に配置されたＬ相固定端子部８９と当接して電気的に接続される。Ｌ相固定端子部８９は、Ｌ相固定端子板８８の一端部に例えばカシメ等によって固定されている。Ｌ相固定端子板８８はハウジング７２の外部に延出している。
【００５８】
上記のように構成される開閉ユニット７０では、回路基板１２０からの作動信号によってコイル７３に電力供給されると、図７に示すように、可動鉄片７４がコイル７３の磁力によって吸着されて移動する。
【００５９】
そうすると、トリガーレバー７５が可動鉄片７４によって一端部が押されることで時計回り方向に回動し、これに伴って支持レバー７６がトリガーレバー７５の他端部によって押されることで反時計回り方向に回動する。
【００６０】
そうすると、支持レバー７６の上端に支持されていた作動板７７の一端部が外れることで、作動板７７は押圧ばね７８の押圧力によって反時計周り方向に回動する。このとき、操作レバー７１は、押圧ばね７８の反力と捻りばね９０の付勢力によって、コンセント１０の前面に端部が突出した状態に回動する。
【００６１】
作動板７７の支持レバー７６による支持が外れたことで、作動板７７によって時計回り方向に押されて支持されていた作動部材７９が、圧接ばね８０の付勢力によって反時計回り方向に回動する。これにより、圧接ばね８５の付勢力によってＮ相可動端子板８１が移動し、Ｎ相可動端子部８２がＮ相固定端子部８７から離間する。これと同時に、反時計回り方向に回動する作動部材７９によって押されることで、Ｌ相可動端子板８３が持ち上げられるように移動する。これにより、Ｌ相可動端子部８４がＬ相固定端子部８９から離間する。このようにＮ相可動端子部８２及びＬ相可動端子部８４がＮ相固定端子部８７及びＬ相固定端子部８９からそれぞれ離間することで、開閉ユニット７０は閉路状態から開路状態に切り替わる。その結果、刃受ばねブロック４２ａ，４２ｂへの電力供給路が遮断され、コンセント１０から差込プラグを介して負荷に供給される電力がオフされることになる。異常状態が解除されて、操作レバー７１が図７に示す状態から図６に示す状態に手動操作で戻されると、開閉ユニット７０の内部の各構成部材も図７に示す状態から図６に示す状態に復帰し、開路状態から閉路状態に戻すことができる。
【００６２】
なお、開閉ユニット７０は、上述した構成のものに限定されず、電力供給路を開閉可能な公知の如何なる構成の遮断機構を用いてもよい。
【００６３】
図８は、図４に示すコンセントにおいて、矢印Ａ方向（端子部側）から見た斜視図である。コンセント１０は、端子部１００を備える。端子部１００は、商用電源に接続される外部電源線が電気的及び機械的に接続される接続部である。
【００６４】
端子部１００は、Ｎ相固定端子板８６、Ｌ相固定端子板８８、鎖錠ばね９２，９４、及び、解錠部材９６を備える。Ｎ相固定端子板８６は、開閉ユニット７０のハウジング７２から延出した他端部にＵ字状に折り曲げられたＮ相電源接続部８６ａを有する。Ｌ相固定端子板８８は、開閉ユニット７０のハウジング７２から延出した他端部にＵ字状に折り曲げられたＬ相電源接続部８８ａを有する。各電源接続部８６ａ，８８ａの内側には、鎖錠ばね９２，９４がそれぞれ配置されている。これにより、各電源接続部８６ａ，８８ａは、後方からＮ相およびＬ相の外部電源線をそれぞれ挿入することで、迅速に接続可能ないわゆる速結端子となっている。
【００６５】
解錠部材９６は、押し込み操作することで、鎖錠ばね９２，９４を各電源接続部８６ａ，８８ａから離間させることができ、その結果、Ｌ相およびＮ相の外部電源線を各電源接続部８６ａ，８８ａから取り外すことができる。
【００６６】
また、端子部１００は、接地用端子１０２を備える。接地用端子１０２は、例えば、銅板等の金属板をパンチ加工および折り曲げ加工して形成された接地用端子板１０４を含む。接地用端子板１０４の一端部には、ねじ１０５が螺合されており、このねじ１０５を用いて接地用外部電線を接地用端子１０２に接続することができる。接地用端子板１０４の他端には接地用刃受ばね１０６が形成されている。この接地用刃受ばね１０６はコンセント本体カバー１２の上部カバー１２ａの下段に形成された接地端子挿入口２０ｃの内側に配置されている。これにより、接地端子挿入口２０ｃから挿入された差込プラグの接地用端子が接地用端子板１０４に接続されるようになっている。
【００６７】
次に、図９〜図１２を参照して、温度センサの取付構造について説明する。図９は、コンセントの温度センサ取付構造を示す分解斜視図である。図１０は、図９の温度センサ取付構造の組立斜視図である。図１１は、温度センサ取付構造を示す一部断面を含む平面図である。
【００６８】
図９ないし図１１に示すように、コンセント部４０は、Ｌ相用の刃受ばねブロック４２ａと、Ｎ相用の刃受ばねブロック４２ｂと、これらの刃受ばねブロック４２ａ，４２ｂを支持するボディ部材４４とを備える。各刃受ばねブロック４２ａ，４２ｂは、コンセント部４０の幅方向中心線であるＢ−Ｂ線に対して対称な形状を有する。以下では、刃受ばねブロック４２ａについて説明するが、刃受ばねブロック４２ｂについても同様である。
【００６９】
刃受ばねブロック４２ａは、二対の刃受ばね４８と、各刃受ばね４８を機械的に連結するとともに電気的に接続する連結部５０と、連結部５０の縁部から前後方向Ｙに沿って折り曲げ形成された接続端子部５２とを一体に有する。接続端子部５２は、断面Ｌ字状に折れ曲がった曲げ部５２ａを有している。そして、接続端子部５２の曲げ部５２ａには、温度センサ５４が取り付けられている。
【００７０】
本実施形態では、温度センサ５４は、クリップ５６によって挟持されて固定されている。これにより、温度センサ５４が温度計測対象である刃受ばねブロック４２ａに密接して配置されている。クリップ５６は、一対の挟持片５６ａと各挟持片５６ａを連結する連結部５６ｂとを一体に有する。このように温度センサ５４がクリップ５６によって挟持されることで温度計測対象である接続端子部５２の曲げ部５２ａに密接した状態で取り付けられる。これにより、温度センサ５４による温度計測精度が向上する。
【００７１】
温度センサ５４は、サーミスタ、測温抵抗体、及び熱電対の何れかで構成されるのが好適である。また、温度センサ５４と接続端子部５２の曲げ部５２ａとの間に熱伝導部材が介在されてもよい。熱伝導部材は、例えば、熱伝導性を有するシートやグリスなどの柔軟で薄い部材で構成されるのが好ましい。このような熱伝導部材を設けることで、温度センサ５４が温度計測対象により密接した状態になりやすく、温度計測精度の向上に寄与することができる。
【００７２】
刃受ばねブロック４２ａ，４２ｂ、温度センサ５４およびクリップ５６は、ボディ部材４４に対して次のように組み付けられる。
【００７３】
絶縁性樹脂成型品で構成されるボディ部材４４は、略直方体状をなしている。ボディ部材４４には、４つの凹部４５が区画形成されている。これらの凹部４５内に刃受ばねブロック４２ａ，４２ｂの４対の刃受ばね４８がそれぞれ収納された状態で、刃受ばねブロック４２ａ，４２ｂがボディ部材４４に組み付けられる。
【００７４】
ボディ部材４４の外周面において幅方向Ｘに対向する両側面には、前方視で長方形状に凹んだセンサ収容部４６がそれぞれ形成されている。センサ収容部４６の内面には、前方視で略コ字状をなす支持リブ４７が突出して形成されている。この支持リブ４７は、幅方向Ｘの外側に向かって開口している。
【００７５】
コンセント部４０の組立の際、図９に示すように、まず、温度センサ５４がボディ部材４４のセンサ収容部４６内に幅方向Ｘに沿った矢印Ｃ方向から挿入されて収容される。このとき、温度センサ５４は支持リブ４７上に載置されて支持され、温度センサ５４から延出する信号線６０ａは支持リブ４７の開口部に挿入される。
【００７６】
次に、刃受ばねブロック４２ａの接続端子部５２を前後方向Ｙに沿った矢印Ｄ方向からセンサ収容部４６に挿入するようにして刃受ばねブロック４２ａをボディ部材４４に組み付ける。これにより、接続端子部５２の曲げ部５２ａが温度センサ５４とセンサ収容部４６の壁面との間に配置される。
【００７７】
この状態で、クリップ５６を矢印Ｃ方向からセンサ収容部４６内に挿入する。これにより、図１０及び図１１に示すように、温度センサ５４がクリップ５６によって接続端子部５２の曲げ部５２ａに圧接された状態に組み付けられる。もう１つの刃受ばねブロック４２ｂへの温度センサ５４の組み付けも同様に行うことができる。したがって、本実施形態のコンセント１０のコンセント部４０では、ボディ部材４４に温度センサ５４および刃受ばねブロック４２ａ，４２ｂを組み付けた状態でクリップ５６を挿入することで、刃受ばねブロック４２ａ，４２ｂへの温度センサ５４の取付けを容易に行うことができる。
【００７８】
図１２は、端子部１００の一部を拡大して示す斜視図である。図１２に示すように、コンセント１０は、温度計測用基板１１０を備えてもよい。温度計測用基板１１０には、温度センサ１１２ａ，１１２ｂが実装されている。温度センサ１１２ａ，１１２ｂは、例えば、サーミスタ、測温抵抗体、及び熱電対の何れかによって好適に構成される。温度センサ１１２ａ，１１２ｂは、熱伝導部材によって被覆されて温度計測用基板１１０上に設けられてもよい。この場合、温度センサ１１２ａ，１１２ｂは、熱伝導部材を介して温度計測対象であるＮ相固定端子板８６、及び、Ｌ相固定端子板８８に接触している。熱伝導性部材は、熱伝導性を有する柔軟性樹脂であることが好ましい。これにより、温度センサ１１２ａ，１１２ｂがより密接に温度計測対象に接触し、温度計測精度を高めることができる。また、温度計測対象であるＮ相固定端子板８６とＬ相固定端子板８８との間の電気的絶縁をより確実なものにするため、熱伝導部材は絶縁性樹脂であることが好ましい。具体例として、熱伝導部材は、低硬度のアクリル樹脂を用いることができ、例えば、３Ｍ社製のハイパーソフト放熱シート（登録商標）６５００Ｈ，６５１０Ｈ，５５７８Ｈなどを用いることができる。
【００７９】
温度計測用基板１１０に実装された温度センサ１１２ｂはＮ相固定端子板８６に接触して設けられ、温度計測用基板１１０に実装された温度センサ１１２ａはＬ相固定端子板８８に接触して設けられる。そして、温度センサ１１２ｂによって計測されたＮ相固定端子板８６の温度は信号線１１４ａを介して回路基板１２０に送信される。また、温度センサ１１２ａによって計測されたＬ相固定端子板８８の温度は信号線１１４ｂを介して回路基板１２０に送信される。なお、温度計測用基板１１０には、信号線１１４ａ，１１４ｂに隣接して電源線１１４ｃが接続されている。
【００８０】
回路基板１２０に設けられた制御部１２２は、温度センサ１１２ａ，１１２ｂで計測された固定端子温度が所定閾値温度を超えていないか否かを判定する。そして、制御部１２２は、固定端子板８６，８８の少なくとも一方の温度が所定閾値温度を超えたとき、コンセント１０が過熱状態であると判定し、開閉ユニット７０に信号線６０ｃを介して作動信号を送信する。これにより、開閉ユニット７０が作動して開路状態となり、刃受ばねブロック４２ａ，４２ｂへの電力供給が遮断される。ここでの所定閾値温度は、上述した刃受ばねブロック４２ａ，４２ｂの温度センサ５４によって計測された温度と比較されるものと同じ値を用いることができる。
【００８１】
なお、本実施形態のコンセント１０では、刃受ばねブロック４２ａ，４２ｂと、固定端子板８６，８８の両方に温度センサを配置したが、刃受ばねブロック４２ａ，４２ｂ又は固定端子板８６，８８の何れか一方だけに温度センサを配置してもよい。
【００８２】
図１３は、係合部１６０によって一体に接合された内側ハウジング部材７２ｄおよび外側ハウジング部材７２ｅを備えた開閉ユニット７０の斜視図である。
【００８３】
図１３に示すように、開閉ユニット７０は、一対のハウジング部材によって構成されるハウジング７２を備える。より詳しくは、ハウジング７２は、コンセント部４０が配置される側の内側ハウジング部材７２ｄと、その反対側の外側ハウジング部材７２ｅとを組み合わせて筐体状に形成されている。内側ハウジング部材７２ｄと外側ハウジング部材７２ｅとは、外側ハウジング部材７２ｅに一体に設けた複数の係合部１６０が、内側ハウジング部材７２ｄの外周縁部に係合することによって一体に接合されている。
【００８４】
本実施形態では、外側ハウジング部材７２ｅの外周縁部には、それぞれ鉤形状をなす３つの係合部１６０が幅方向Ｘに突出して形成されている例が示される。このうち、２つの係合部１６０は、前後方向Ｙの前部であって上下方向Ｚの両端側に設けられ、１つの係合部１６０は、前後方向Ｙの後部であって上下方向Ｚの一端側に設けられている。
【００８５】
なお、係合部１６０の数は３つに限定されるものではなく、２つ又は４つ以上としてもよい。また、係合部１６０の位置は、適宜に変更可能であり、例えば外側ハウジング部材７２ｅにおいて上下方向Ｚの両側に位置する外周縁部に設けられてもよい。また、本実施形態では係合部１６０を外側ハウジング部材７２ｅに設けているが、これに限定されるものでなく、内側ハウジング部材７２ｄおよび外側ハウジング部材７２ｅの少なくとも何れか一方に設けられていれもよい。
【００８６】
図６及び図７を参照して上述したように、開閉ユニット７０のハウジング７２内には、コイル７３、可動鉄片７４、トリガーレバー７５、支持レバー７６、作動板７７、押圧ばね７８、作動部材７９、圧接ばね８０，８５、Ｎ相可動端子部８２を有するＮ相可動端子板８１、Ｌ相可動端子部８４を有するＮ相可動端子板８３、Ｎ相固定端子部８７を有するＮ相固定端子板８６、および、Ｌ相固定端子部８９を有するＬ相固定端子板８８が収納されている。このうち、Ｎ相可動端子部８２を有するＮ相可動端子板８１とＬ相可動端子部８４を有するＮ相可動端子板８３が本開示における第１端子板に相当する。また、Ｎ相固定端子部８７を有するＮ相固定端子板８６とＬ相固定端子部８９を有するＬ相固定端子板８８が本開示における第２端子板に相当する。さらに、コイル７３、可動鉄片７４、トリガーレバー７５、支持レバー７６、作動板７７、押圧ばね７８、作動部材７９、及び、圧接ばね８０，８５が、本開示における接続解除機構に相当する。
【００８７】
図１３に示すように、内側ハウジング部材７２ｄ及び外側ハウジング部材７２ｅには、リベット孔１６２が幅方向Ｘに貫通してそれぞれ設けられているが、３つの係合部１６０によって内側ハウジング部材７２ｄと外側ハウジング部材７２ｅとが確実に一体結合されるためリベットによる結合は必須ではない。ただし、内側ハウジング部材７２ｄ及び外側ハウジング部材７２ｅの結合をより強固なものとして開閉ユニット７０の防爆性能を向上させるために、図１４に示すように、リベット孔１６２に挿通したリベット１６４によって内側ハウジング部材７２ｄと外側ハウジング部材７２ｅとを一体結合してもよい。
【００８８】
上記のようにハウジング７２を備えた開閉ユニット７０は、コンセント部４０と電気的に接続された状態で、ケース１６に収納され、その状態でケース１６の前面に主カバー部材１７が取り付けられる。このように本実施形態の開閉ユニット７２は、一体に接合された内側ハウジング部材７２ｄ及び外側ハウジング部材７２ｅを備えるとともに、ケース１６および主カバー部材１７からなる筐体部にさらに収納されて構成されている。これにより、開閉ユニット７０および開閉機能付きコンセント１０の防爆性能をより向上させることができる。
【００８９】
上述したように本実施形態の開閉ユニット７０は、操作レバー７１の回動操作によって開閉するＮ相可動端子板８１およびＬ相可動端子板８３と、Ｎ相可動端子部８２及びＬ相可動端子部８４と接続可能なＮ相固定端子部８７およびＬ相固定端子部８９をそれぞれ有するＮ相固定端子板８６およびＬ相固定端子板８８と、開路信号を受けて、可動端子部８２，８４と固定端子部８７，８９とを離間させて接続を解除する接続解除機構７３−８０，８５と、可動端子板８１，８３、固定端子板８６，８８、および、接続解除機構７３−８０，８５を収納するハウジング７２を備える。一対のハウジング部材７２ｄ，７２ｅが一体に接合されて構成され、一対のハウジング部材７２ｄ，７２ｅは少なくとも何れか一方のハウジング部材７２ｄ，７２ｅに形成された係合部１６０が他方のハウジング部材に係合することで一体に接合されている。開閉ユニット７０は、さらに、可動端子板８１，８３、固定端子板８６，８８、および、接続解除機構７３−８０，８５を収納したハウジング７２を収納する筐体部１６，１７とを備える。
【００９０】
この構成によれば、一対のハウジング部材７２ｄ，７２ｅを係合部１６０によって一体に接合することで、ハウジング７２の組立性が良くなって開閉ユニット７０の生産性が向上する。また、ハウジング７２を備えた開閉ユニットが筐体部１６，１７によって更に収納される構成であるため、開閉ユニット７２およびこれを備えた開閉機能付きコンセント１０の防爆性能を向上させることができる。
【００９１】
本実施形態の開閉ユニットにおいて、ハウジング７２は一対のハウジング部材７２ｄ，７２ｅを一体に接合するリベット１６４をさらに備えてもよい。これにより、開閉ユニット７２およびこれを備えた開閉機能付きコンセント１０の防爆性能をより向上させることができる。
【００９２】
なお、本開示に係る開閉ユニット、開閉機能付きコンセント、および、その生産方法は、上述した実施形態およびその変形例に限定れるものではなく、本願の特許請求の範囲に記載された事項の範囲内において種々の変更や改良が可能であることは勿論である。
【符号の説明】
【００９３】
１  取付枠、２  上側板部、３  下側板部、４  桟部、５  開口部、６  係合孔、１０  開閉機能付きコンセント、１２  コンセント本体カバー、１２ａ  上部カバー、１２ｂ  下部カバー、１３  取付ピン、１４  コンセント外側カバー、１４ａ  （コンセント外側カバーの）開口部、１４ｂ  貫通孔、１４ｃ  電源灯孔、１４ｄ  異常灯孔、１５  取付穴、１６  ケース、１７  主カバー部材、１７ａ  前壁、１７ｂ  側壁、１７ｃ  （主カバー部材の）開口部、１７ｄ  操作片、１７ｅ  端子カバー部、１８ａ，１８ｂ  栓刃挿入部、１９  （主カバー部材の）開口部、２０ａ，２０ｂ  栓刃挿入口、２０ｃ  接地端子挿入口、２１  係止片、２２  係合部、２３  （主カバー部材の）係止部、２４  底面、２６  柱部、２９  支持突起部、４０  コンセント部、４２ａ，４２ｂ  刃受ばねブロック、４４  ボディ部材、４５  凹部、４６  センサ収容部、４７  支持リブ、４８  刃受ばね、５０  連結部、５２  接続端子部、５２ａ  曲げ部、５４  温度センサ、５４ａ  Ｌ相導線、５４ｂ  Ｎ相導線、５６  クリップ、５６ａ  挟持片、５６ｂ  連結部、６０ａ，６０ｂ，６０ｃ  信号線、７０  開閉ユニット、７１  操作レバー、７２  ハウジング、７２ｄ  内側ハウジング部材、７２ｅ  外側ハウジング部材、７３  コイル、７４  可動鉄片、７５  トリガーレバー、７５ａ，７６ａ，７９ａ  軸部、７６  支持レバー、７７  作動板、７８  押圧ばね、７９  作動部材、８０，８５  圧接ばね、８１  Ｎ相可動端子板、８２  Ｎ相可動端子部、８３  Ｌ相可動端子板、８３ａ  一端、８４  Ｌ相可動端子部、８６  Ｎ相固定端子板、８６ａ  Ｎ相電源接続部、８７  Ｎ相固定端子部、８８  Ｌ相固定端子板、８８ａ  Ｌ相電源接続部、８９  Ｌ相固定端子部、９０  捻りばね、９２，９４  鎖錠ばね、９６  解錠部材、１００  端子部、１０１  端子ボックス、１０２  接地用端子、１０４  接地用端子板、１０５  ねじ、  １０６  接地用刃受ばね、１１０  温度計測用基板、１１２ａ，１１２ｂ  温度センサ、１１４ａ，１１４ｂ  信号線、１１４ｃ  電源線、１２０  回路基板、１２２  制御部、１３０  スイッチ盤、１３２  押しスイッチ、１３４  電源灯発光部、１３６  異常灯発光部、１６０  （ハウジングの）係合部、１６２  リベット孔、１６４  リベット。
【図１】
2020053246.tif 000003
【図２】
2020053246.tif 000004
【図３】
2020053246.tif 000005
【図４】
2020053246.tif 000006
【図５】
2020053246.tif 000007
【図６】
2020053246.tif 000008
【図７】
2020053246.tif 000009
【図８】
2020053246.tif 000010
【図９】
2020053246.tif 000011
【図１０】
2020053246.tif 000012
【図１１】
2020053246.tif 000013
【図１２】
2020053246.tif 000014
【図１３】
2020053246.tif 000015
【図１４】
2020053246.tif 000016